(57)【要約】【課題】孔版印刷装置に備えた上流側，下流側の回転に対して、エアーポンプなどの負荷変動の影響を小さくすることのできる孔版印刷装置を提供する。【解決手段】モータ３によって回転される上流側ドラム５と下流側ドラム７とを備えると共に、上流側ドラム５から印刷用紙を剥離するための第１エアーポンプ５１及び下流側ドラム７から印刷用紙を剥離するための第２エアーポンプ５５を備えた孔版印刷装置であって、モータ３から上流側ドラム５及び下流側ドラム７への回転伝達経路６１と、モータ３から両エアーポンプ５１，５５を駆動するためのポンプ駆動手段５３，５７への回転伝達経路６３とを個別の回転伝達経路に構成し、上流側ドラム５及び下流側ドラム７への回転伝達経路６１はギア列から構成してあり、上流側ドラム５と下流側ドラム７との間に、上流側ドラム５と下流側ドラム７との間の位相調整を行うための天地調整機構１５を備えている。【選択図】図１
2009107170.tif 000002
【特許請求の範囲】
【請求項１】
モータによって回転される上流側ドラムと下流側ドラムとを備えると共に、前記上流側ドラムから印刷用紙を剥離するための第１エアーポンプ及び前記下流側ドラムから印刷用紙を剥離するための第２エアーポンプを備えた孔版印刷装置であって、前記モータから前記上流側ドラム及び下流側ドラムへの回転伝達経路と、前記モータから前記両エアーポンプを駆動するためのポンプ駆動手段への回転伝達経路とを個別の回転伝達経路に構成してあることを特徴とする孔版印刷装置。
【請求項２】
請求項１に記載の孔版印刷装置において、前記上流側ドラム及び下流側ドラムへの回転伝達経路はギア列から構成してあり、前記上流側ドラムと下流側ドラムとの間に、上流側ドラムと下流側ドラムとの間の位相調整を行うための天地調整機構を備えていることを特徴とする孔版印刷装置。
【請求項３】
請求項１又は２に記載の孔版印刷装置において、前記両エアーポンプを駆動するためのポンプ駆動手段への回転伝達経路はギア列から構成してあり、前記第１エアーポンプを駆動するためのギアと第２エアーポンプを駆動するためのギアとの間に、上記両ギア間の位相調整を行うための天地調整機構を備えていることを特徴とする孔版印刷装置。
【請求項４】
請求項２又は３に記載の孔版印刷装置において、前記天地調整機構は、入力側のリングギアと出力側のリングギアを備え、前記入力側及び出力側のリングギアにおけるそれぞれの内歯歯車に、回転かつ固定自在な遊星キャリアに回転自在に支持された複数の遊星ギアを噛合してあることを特徴とする孔版印刷装置。
【請求項５】
請求項１〜４のいずれかに記載の孔版印刷装置において、前記上流側，下流側の各ドラムへの回転伝達経路の下流側にブレーキを備えると共に、前記ポンプ駆動手段への回転伝達経路の下流側にブレーキを備えていることを特徴とする孔版印刷装置。
【発明の詳細な説明】
【技術分野】
【０００１】
本発明は、モータによって回転される複数のドラムを、印刷用紙の搬送方向に備え、上流側のドラムから印刷用紙に１色目，２色目と転写する、いわゆる１パス（１回の通紙）で多色印刷を行う孔版印刷装置に係り、さらに詳細には、上流側のドラムと下流側のドラムとの位相ずれに起因する転写ゴーストの発生を抑制してより高品位な印刷を行うことのできる孔版印刷装置に関する。
【背景技術】
【０００２】
印刷用の孔版原紙を周面に備えた複数のドラムを、印刷用紙の搬送方向に並置して備えた多色印刷用の孔版印刷装置においては、上流側のドラムと下流側のドラムとの位相ずれを防止するために、上流側ドラムと下流側ドラムとの間には、位相調整を行うための天地調整機構が配置してある（例えば特許文献１参照）。
【特許文献１】特開２００１−１０１８８号公報
【発明の開示】
【発明が解決しようとする課題】
【０００３】
前記特許文献１に記載の構成は、図３に示すごとき構成である。すなわち、給紙部１００から供給される印刷用紙１０１の搬送経路には、上流側のドラム１０２と下流側のドラム１０３とが並置してあり、前記ドラム１０２とモータ１０４は、駆動ベルト１０５を介して連動連結してある。そして、前記上流側のドラム１０２と下流側のドラム１０３は、タイミングベルト１０６を掛け回した位相調整手段１０７を介して連動連結してある。
【０００４】
前記上流側のドラム１０２から印刷用紙１０１を剥離するためのエアーをノズル１０８へ供給するためのエアーポンプ１０９は回転軸１１０によって駆動される構成であり、この回転軸１１０は、ベルト１１１を介して前記上流側のドラム１０２と連動連結した回転軸１１２によって回転される構成である。そして、下流側のドラム１０３から印刷用紙１０１を剥離するためのエアーをノズル１１３へ供給するためのエアーポンプ１１４は、前記回転軸１１０に連動連結した回転軸１１５によって回転される構成である。
【０００５】
上記構成において、モータ１０４によって上流側のドラム１０２を回転し、上記ドラム１０２の周面に備えた孔版原紙の例えば先端部と印刷用紙１０１の先端部とが一致するタイミングでもって印刷用紙１０１を上流側のドラム１０２に供給すると、前記印刷用紙１０１に第１の印刷が行なわれる。そして、エアーポンプ１０９から供給されるエアーをノズル１０８から噴出して印刷用紙１０１の剥離を行い、次に、下流側のドラム１０３へ印刷用紙１０１を連続して供給することにより、第２の印刷が行われる。
【０００６】
ここで、上流側のドラム１０２と下流側のドラム１０３は、位相調整手段１０７によって位相ずれを生じないように調整しているものの、前記ノズル１０８からエアーを噴出すべくエアーポンプ１０９を駆動するための負荷は回転軸１１２，ベルト１１１を介して上流側のドラム１０２に直接伝達される。しかし、下流側のドラム１０３は無負荷状態にあるので、上流側のドラム１０２に負荷が直接作用した瞬間時にドラム１０２の回転速度が瞬間的に遅くなることがある。
【０００７】
すなわち、エアーポンプ１０９の駆動系を、上流側のドラム１０２に連動連結した構成であることにより、またタイミングベルトを使用した構成であることにより、エアーポンプ１０９を駆動するときの負荷変動がタイミングベルトの微小な伸縮に影響し、またドラム１０２の回転時における微小回転角の変化に直接的に影響し、上流側のドラム１０２と下流側のドラム１０３との間に微小な位相差を生じて、位相ずれに起因する転写ゴーストを生じることがあり、より高品位の印刷を行う上において問題がある。
【課題を解決するための手段】
【０００８】
本発明は、前述のごとき問題に鑑みてなされたもので、モータによって回転される上流側ドラムと下流側ドラムとを備えると共に、前記上流側ドラムから印刷用紙を剥離するための第１エアーポンプ及び前記下流側ドラムから印刷用紙を剥離するための第２エアーポンプを備えた孔版印刷装置であって、前記モータから前記上流側ドラム及び下流側ドラムへの回転伝達経路と、前記モータから前記両エアーポンプを駆動するためのポンプ駆動手段への回転伝達経路とを個別の回転伝達経路に構成してあることを特徴とするものである。
【０００９】
また、前記孔版印刷装置において、前記上流側ドラム及び下流側ドラムへの回転伝達経路はギア列から構成してあり、前記上流側ドラムと下流側ドラムとの間に、上流側ドラムと下流側ドラムとの間の位相調整を行うための天地調整機構を備えていることを特徴とするものである。
【００１０】
また、前記孔版印刷装置において、前記両エアーポンプを駆動するためのポンプ駆動手段への回転伝達経路はギア列から構成してあり、前記第１エアーポンプを駆動するためのギアと第２エアーポンプを駆動するためのギアとの間に、上記両ギア間の位相調整を行うための天地調整機構を備えていることを特徴とするものである。
【００１１】
また、前記孔版印刷装置において、前記天地調整機構は、入力側のリングギアと出力側のリングギアを備え、前記入力側及び出力側のリングギアにおけるそれぞれの内歯歯車に、回転かつ固定自在な遊星キャリアに回転自在に支持された複数の遊星ギアを噛合してあることを特徴とするものである。
【００１２】
また、前記孔版印刷装置において、前記上流側，下流側の各ドラムへの回転伝達経路の下流側にブレーキを備えると共に、前記ポンプ駆動手段への回転伝達経路の下流側にブレーキを備えていることを特徴とするものである。
【発明の効果】
【００１３】
本発明によれば、上流側のドラム及び下流側のドラムを回転するためのモータからの回転伝達経路と、エアーポンプを駆動するためのポンプ駆動手段へのモータからの回転伝達経路とは別個の回転伝達経路に構成してあるから、エアーポンプの負荷がドラムの回転時における微小回転角の変化に直接影響することがなく、上流側のドラムと下流側のドラムとの回転の位相ずれを効果的に防止でき、より高品位の印刷を行うことができるものである。
【００１４】
また、モータから上流側ドラム及び下流側ドラムへの回転伝達経路はギア列から構成してあり、上流側ドラムと下流側ドラムとの間に天地調整機構を備えているので、タイミングベルト等を用いた構成に比較してより高精度の位相調整を行うことができるものである。
【００１５】
また、エアーポンプを駆動するための回転伝達経路はギア列に構成してあり、第１のエアーポンプを駆動するためのギアと第２のエアーポンプを駆動するためのギアとの間に天地調整機構を備えた構成であることにより、負荷変動によって前記両ギア間に位相ずれを生じる傾向にあっても、位相ずれを小さく抑制することができる。よって、ドラムから印刷用紙を剥離するタイミングに常にほぼ一致してエアーの噴出を行うことができ、印刷用紙の剥離を常に正確に行うことができるものである。
【００１６】
また、天地調整機構が遊星ギア機構によって構成してあることにより、小型化を図ることができると共に負荷変動による変形を抑制でき、位相調整を効果的に行うことができるものである。
【００１７】
さらに、回転伝達経路の下流側にブレーキを備えた構成であることにより、慣性や負荷変動に起因する振動を抑制することができ、常に位相ずれを防止することができるものである。
【発明を実施するための最良の形態】
【００１８】
以下、図面を用いて本発明の実施形態に係る孔版印刷装置について説明するに、孔版印刷装置の全体的構成は、例えば前記特許文献１などに記載されているように、既に公知であるから、全体的構成についての詳細な説明は省略し、主要な構成について説明することにする。
【００１９】
図１に全体的構成及びその構成要素を概略的，概念的に示すように、本実施例に係る孔版印刷装置１は、サーボモータ３によって回転される上流側のドラム５と下流側のドラム７とを備えている。前記モータ３と上流側のドラム５は、概念的に示すように、複数のギア９，１１を噛合したギア列１３によって連動連結してあり、上流側のドラム５と下流側のドラム７との間には、ドラム５とドラム７との間の位相調整を行うための天地調整機構１５が介在してある。
【００２０】
前記天地調整機構１５は、図２に示すように構成してある。すなわち、前記天地調整機構１５は、遊星ギア機構に構成してあり、シャフト１７を回転自在に備えている。このシャフト１７には前記ドラム５に備えたギアと噛合した入力ギア（入力側のリングギア）１９が回転自在に支持されていると共に、前記ドラム７に備えたギアと噛合した出力ギア（出力側のリングギア）２１が回転自在に支持されている。そして、前記シャフト１７には、例えばステッピングモータなどのごとき調整モータ２３によって回転されるピニオンギア２５と噛合した調整ギア２７が一体的に取付けてある。さらに、前記シャフト１７には遊星キャリア２９が一体的に取付けてあり、この遊星キャリア２９に回転自在に支持された複数の遊星ギア３１は、前記入力ギア１９に備えた内歯歯車１９Ａ及び前記出力ギア２１に備えた内歯歯車２１Ａに噛合してある。
【００２１】
上記構成により、常態においては調整ギア２７，シャフト１７及び遊星キャリア２９は固定状態にある。したがって、上流側のドラム５の回転が入力ギア１９に入力されると、遊星ギア３１を介して出力ギア２１が回転され、下流側のドラム７が連動して回転される。すなわち、常態においては、遊星ギア３１は入力ギア１９の回転を出力ギア２１へ伝達する中間ギアとして機能しているものである。
【００２２】
前記上流側のドラム５と下流側のドラム７との位相ずれを調整するには、例えば入力ギア１９を固定状態として、調整モータ２３によって調整ギア２７を例えば矢印Ａ方向に回転すると、遊星キャリア２９も同方向に回転するので、入力ギア１９の内歯歯車１９Ａに噛合した遊星ギア３１は同方向に公転し矢印Ｂ方向に自転する。したがって、遊星ギア３１に噛合した内歯歯車２１Ａを介して出力ギア２１が矢印Ａと反対方向に回転することとなり、入力ギア１９に対する位相ずれを調整されることになる。
【００２３】
既に理解されるように、調整モータ２３によって調整ギア２７を正回転方向又は逆回転方向へ回転することにより、入力ギア１９に対して出力ギア２１の位相が進む方向又は遅れる方向に位相ずれを調整することができるものであり、前記上流側のドラム５と下流側のドラム７との位相ずれを生じないように調整することができるものである。
【００２４】
したがって、ドラム５，７の位相ずれに起因する転写ゴーストの発生を抑制でき、より高品位の印刷を行うことができるものである。
【００２５】
なお、前記上流側のドラム５の回転と下流側のドラム７の回転を、例えばパルスエンコーダ等によってそれぞれ常に検出しており、例えば負荷変動によって回転ムラを生じ位相ずれを生じたようなときに、制御装置（図示省略）の制御によって位相ずれのないように調整を行うものである。
【００２６】
前記下流側のドラム７のギアには、当該ドラム７の慣性などによる回転を抑制するためのブレーキ装置３３が連動連結してある。
【００２７】
前記上流側のドラム５及び下流側のドラム７の下側には、供給部（図示省略）から供給された印刷用紙（図示省略）を前記ドラム５，７の周面へ押圧する押圧ローラ３５，３７を回転自在に備えたリンク部材３９，４１がそれぞれ揺動自在に配置してある。そして、上記リンク部材３９，４１は、回転ギア４３，４５に一体的に備えたカム４７，４９の作用によって上下に揺動されるものである。
【００２８】
さらに、前記上流側のドラム５の下方位置には、当該ドラム５の周面から印刷用紙を剥離するためのエアーをノズル（図示省略）へ供給するためのエアーポンプ５１が配置してある。このエアーポンプ５１は、ポンプ駆動手段としての回転ギア５３に連動連結してある。なお、前記エアーポンプ５１はシリンダ内にピストンを往復動自在に備えた構成であって、前記回転ギア５３に連動連結したコネクティングロッドによってピストンを往復動する構成であり、この種のエアーポンプは既に公知であるから、エアーポンプ５１の構成についての詳細な説明は省略する。
【００２９】
下流側の前記ドラム７の下方位置には、当該ドラム７の周面から印刷用紙を剥離するためにノズル（図示省略）から噴出するエアーをノズルへ供給するためのエアーポンプ５５が配置してあると共に、当該エアーポンプ５５を駆動するためのポンプ駆動手段としての回転ギア５７が配置してある。
【００３０】
前記回転ギア４３は前記モータ３に連動連結してあり、この回転ギア４３にはポンプ駆動手段としての前記回転ギア５３が噛合してある。そして、前記回転ギア５７と前記回転ギア４５とが噛合してあり、前記回転ギア５３と回転ギア５７との間には、前記天地調整機構１５と同構成の天地調整機構１５Ａが介在してある。そして、前記回転ギア４５には、ブレーキ装置５９が連動連結してある。
【００３１】
上記説明より理解されるように、前記モータ３によって前記ドラム５，７を回転するための回転伝達経路６１は複数のギアを噛合したギア列によって構成してある。また、前記エアーポンプ５１，５５を駆動するためのポンプ駆動手段への回転伝達経路６３は複数の回転ギアを噛合したギア列によって構成してある。すなわち、ドラム５，７を回転するための回転伝達経路６１と負荷変動を生じる傾向にあるエアーポンプ５１，５５等を駆動するための回転伝達経路６３はそれぞれ個別の回転伝達経路であって個別にモータ３と連動連結してある。
【００３２】
したがって、リンク部材３９，４１を揺動することによる負荷変動やエアーポンプ５１，５５を作動することによる負荷変動が回転伝達経路６３側に生じた場合であっても、ドラム５，７の回転時における微小回転角の変化に直接的に影響することはなく、エアーポンプ５１，５５等の作動に起因する負荷変動によってドラム５，７に位相ずれを生じるようなことがないものである。また、ドラム５，７は単に同期回転するにすぎないものであって常に軽負荷状態にあるので、位相ずれを修正する場合にも軽快迅速に対応することができる。よって、ドラム５，７の位相ずれを防止してより高品位の印刷を容易に行うことができるものである。
【００３３】
また、前記構成においては、上流側のドラム５と下流側のドラム７との間の位相調整を行うための天地調整機構１５は、遊星ギア機構によって構成してあるので、前記特許文献１のごとくタイミングベルトを用いた構成とは異なり、ベルトの微小伸縮を考慮する必要がなく、より高精度の位相調整を行うことができるものである。
【００３４】
さらに、前記構成においては、上流側のドラム５に対応して備えたエアーポンプ５１を駆動するための回転ギア５３と、下流側のドラム７に対応して備えたエアーポンプ５５を駆動するための回転ギア５７との間に天地調整機構１５Ａを介在した構成であるから、エアーポンプ５１，５５を作動するときの負荷変動によって回転ギア５３と回転ギア５７との間に位相ずれを生じる傾向にあっても、上記位相ずれをより小さく抑制することができる。したがって、エアーポンプ５１，５５の作動タイミングを、ドラム５，７から印刷用紙を剥離するタイミングに常にほぼ一致したタイミングとすることができるものである。よって、ドラム５，７からの印刷用紙の剥離を常に正確に行うことができるものである。
【００３５】
また、下流側のドラム７にはブレーキ装置３３が連動連結してあり、回転ギア４５にはブレーキ装置５９が連動連結してあるので、慣性や負荷変動に起因する振動を抑制することができ、常に位相ずれを防止できるものである。したがって、転写ゴーストの発生を抑制することができると共に、印刷用紙をドラム５，７から剥離するときのエアーの噴出タイミングのずれを防止することができるものである。
【００３６】
なお、回転伝達経路６３の負荷変動がモータ３へ伝達されると、制御装置の制御の下にモータ３の回転が制御されるにすぎないものであって、ドラム５，７の位相ずれを生じるようなことはないものである。
【図面の簡単な説明】
【００３７】
【図１】本発明の実施形態に係る孔版印刷装置の構成及びその構成要素を概念的，概略的に表わした説明図である。
【図２】天地調整機構の構成を概略的に示した構成説明図である。
【図３】特許文献１に記載の孔版印刷装置を概略的に示した構成説明図である。
【符号の説明】
【００３８】
１  孔版印刷装置
３  サーボモータ
５  上流側のドラム
７  下流側のドラム
９  ギア
１１  ギア
１５  天地調整機構
１９  入力ギア
２１  出力ギア
２３  調整モータ
２７  調整ギア
２９  遊星キャリア
３１  遊星ギア
３３  ブレーキ装置
３５  押圧ローラ
３７  押圧ローラ
４３  回転ギア
４５  回転ギア
４７  カム
４９  カム
５１  エアーポンプ
５３  回転ギア（ポンプ駆動手段）
５５  エアーポンプ
５７  回転ギア（ポンプ駆動手段）
５９  ブレーキ装置
６１  回転伝達経路
６３  回転伝達経路
【図１】
2009107170.tif 000003
【図２】
2009107170.tif 000004
【図３】
2009107170.tif 000005